(57)【要約】【課題】コンテンツの再生に際しての利用制限を図ること。【解決手段】再生装置は、暗号化された再生用のデジタルコンテンツと当該再生用のデジタルコンテンツの再生条件を規定するマニフェストに関するデータとを対応付けて記憶したメディアから前記再生用のデジタルコンテンツおよび前記マニフェストに関するデータを取得し（ステップＳ２０２）、取得されたマニフェストに関するデータに基づいて、再生用のデジタルコンテンツの復号に用いる鍵データを取得し（ステップＳ２１０）、この鍵データに基づいて、再生用のデジタルコンテンツを復号し（ステップＳ２１２）、復号された再生用のデジタルコンテンツを再生するようにした（ステップＳ２１４）。これによって、マニフェストおよび鍵データという条件が揃った場合に限って再生用のデジタルコンテンツを再生することができる。【選択図】        図２
2006277830.tif 000002
【特許請求の範囲】
【請求項１】
暗号化された再生用のデジタルコンテンツと当該再生用のデジタルコンテンツの再生条件を規定するマニフェストに関するデータとを対応付けて記憶したメディアから前記再生用のデジタルコンテンツおよび前記マニフェストに関するデータを取得するデータ取得手段と、
前記データ取得手段によって取得されたマニフェストに関するデータに基づいて、前記データ取得手段によって取得された再生用のデジタルコンテンツの復号に用いる鍵データを取得する鍵データ取得手段と、
前記データ取得手段によって取得された再生用のデジタルコンテンツを、前記鍵データ取得手段によって取得された鍵データに基づいて復号する復号手段と、
前記復号手段によって復号された再生用のデジタルコンテンツを再生する再生手段と、
を備えることを特徴とする再生装置。
【請求項２】
前記再生用のデジタルコンテンツの復号に用いる鍵データを記憶する外部装置との間で通信を行う通信手段を備え、
前記鍵データ取得手段は、前記通信手段によって通信を行うことにより、前記外部装置に記憶された鍵データを取得することを特徴とする請求項１に記載の再生装置。
【請求項３】
前記データ取得手段によるデータ取得の対象となるメディアに記憶された前記マニフェストに関するデータの有無を判定する判定手段を備え、
前記再生手段は、前記判定手段によって前記マニフェストに関するデータが無いと判定された場合に、前記再生用のデジタルコンテンツとは異なる簡易再生用のデジタルコンテンツを再生することを特徴とする請求項１または２に記載の再生装置。
【請求項４】
暗号化された再生用のデジタルコンテンツと当該再生用のデジタルコンテンツの再生条件を規定するマニフェストに関するデータとを対応付けて記憶したメディアから前記再生用のデジタルコンテンツおよび前記マニフェストに関するデータを取得するデータ取得工程と、
前記データ取得工程によって取得されたマニフェストに関するデータに基づいて、前記再生用のデジタルコンテンツの復号に用いる鍵データを取得する鍵データ取得工程と、
前記データ取得工程によって取得された再生用のデジタルコンテンツを、前記鍵データ取得工程によって取得された鍵データに基づいて復号する復号工程と、
前記復号工程によって復号された再生用のデジタルコンテンツを再生する再生工程と、
を含んだことを特徴とする再生方法。
【請求項５】
請求項４に記載の再生方法をコンピュータに実行させることを特徴とする再生プログラム。
【請求項６】
請求項５に記載の再生プログラムをコンピュータによる読み取り可能に記録した記録媒体。
【発明の詳細な説明】
【技術分野】
【０００１】
この発明は、再生装置、再生方法、再生プログラム、および記録媒体に関する。
【背景技術】
【０００２】
近年、音楽や映像などのデジタルコンテンツを再生する機会が増えてきている。たとえば、このようなデジタルコンテンツが記憶されたメディアには、当該デジタルコンテンツの内容を表すコマーシャル用のデジタルコンテンツなどが併せて記憶されていることもある。これらのデジタルコンテンツは、それぞれ、一般的な手法によって再生を行うことが可能なデータ方式（以下、一般的なデータ方式という）で記憶されている場合と、再生を行うために専用のソフトウェアが必要となるデータ方式で記憶されている場合と、がある。後者の場合、デジタルコンテンツを再生するための専用のソフトウェアは、たとえば、当該デジタルコンテンツと併せて提供される。デジタルコンテンツの管理については、不正利用を防止したり、管理の効率化を図ったりすることを目的とした各種技術がある（たとえば、下記特許文献１、２参照。）。
【０００３】
近年では、メディアなどに記録されたデジタルコンテンツに関する情報をまとめたインデックスデータについての規格であるＭＰＶ（Ｍｕｓｉｃ  Ｐｈｏｔｏ  Ｖｉｄｅｏ）規格の策定が図られている。このＭＰＶ規格を利用することで、たとえば、コンテンツの管理の効率化を図ることが期待される。
【０００４】
【特許文献１】特開２００２−１９０１５９号公報
【特許文献２】特開２００４−８７０６３号公報
【発明の開示】
【発明が解決しようとする課題】
【０００５】
ところで、一般的なデータ方式のデジタルコンテンツが提供された場合、たとえば、これらのデジタルコンテンツを別のメディアにコピーし、再利用することが可能である。すなわち、一般的なデータ方式のデジタルコンテンツの利用に制限を設けることが困難であるという不都合がある。
【０００６】
また、専用のソフトウェアを必要とするデータ方式で記憶されたデジタルコンテンツが提供された場合、これらのデジタルコンテンツを再生するためには専用のソフトウェアを用意しなければならず、再生作業が煩雑であるという不都合がある。また、専用のソフトウェアを必要とするデータ方式でメディアに記憶されたデジタルコンテンツでも、当該デジタルコンテンツと専用のソフトウェアとを併せてコピーすることで、再利用することが可能であり、利用に制限を設けることが困難であるという不都合がある。
【０００７】
しかしながら、たとえば、利用する毎に暗証番号の入力を必要とするなど、デジタルコンテンツの利用に際して過剰な制限を設けることは、購入するなどして正規に取得したデジタルコンテンツの利用者に対して煩雑な作業を要求することになるという不都合がある。
【課題を解決するための手段】
【０００８】
本発明の再生装置は、暗号化された再生用のデジタルコンテンツと当該再生用のデジタルコンテンツの再生条件を規定するマニフェストに関するデータとを対応付けて記憶したメディアから前記再生用のデジタルコンテンツおよび前記マニフェストに関するデータを取得するデータ取得手段と、前記データ取得手段によって取得されたマニフェストに関するデータに基づいて、前記データ取得手段によって取得された前記再生用のデジタルコンテンツの復号に用いる鍵データを取得する鍵データ取得手段と、前記データ取得手段によって取得された再生用のデジタルコンテンツを、前記鍵データ取得手段によって取得された鍵データに基づいて復号する復号手段と、前記復号手段によって復号された再生用のデジタルコンテンツを再生する再生手段と、を備えることを特徴とする。
【０００９】
したがって、マニフェストが対応付けられており、当該マニフェストに基づいて取得された鍵データを用いて復号ができた再生用のデジタルコンテンツのみが再生される。すなわち、マニフェストおよび鍵データという条件が揃った場合に限って再生用のデジタルコンテンツを再生することができる。
【００１０】
また、本発明の再生装置は、前記再生用のデジタルコンテンツの復号に用いる鍵データを記憶する外部装置との間で通信を行う通信手段を備え、前記鍵データ取得手段は、前記通信手段によって通信を行うことにより、前記外部装置に記憶された鍵データを取得することを特徴とする。
【００１１】
したがって、再生装置に加えて外部装置との間での通信が行われた場合に限り、鍵データを取得することができる。すなわち、再生用のデジタルコンテンツの再生に際しての制限をより多く設けることができる。
【００１２】
さらに、本発明の再生装置は、前記データ取得手段によるデータ取得の対象となるメディアに記憶された前記マニフェストに関するデータの有無を判定する判定手段を備え、前記再生手段は、前記判定手段によって前記マニフェストに関するデータが無いと判定された場合に、前記再生用のデジタルコンテンツとは異なる簡易再生用のデジタルコンテンツを再生することを特徴とする。
【００１３】
したがって、データ取得の対象となるメディアにマニフェストに関するデータが記憶されていない場合には、再生用のデジタルコンテンツとは異なる簡易再生用のデジタルコンテンツを再生することで、マニフェストに関するデータが対応付けられた再生用のデジタルコンテンツを所有するユーザと、それ以外のユーザとの差別化を図ることができる。
【００１４】
このとき、簡易再生用のデジタルコンテンツとして、再生用のデジタルコンテンツよりも低品質（画質や音質）のデジタルコンテンツや、再生用のデジタルコンテンツの一部を構成するデジタルコンテンツや、再生用のデジタルコンテンツの内容を紹介するコマーシャル用のデジタルコンテンツとすることで、再生用のデジタルコンテンツに関わりのあるデジタルコンテンツを再生することができる。
【００１５】
本発明の再生方法は、暗号化された再生用のデジタルコンテンツと当該再生用のデジタルコンテンツの再生条件を規定するマニフェストに関するデータとを対応付けて記憶したメディアから前記再生用のデジタルコンテンツおよび前記マニフェストに関するデータを取得するデータ取得工程と、前記データ取得工程によって取得されたマニフェストに関するデータに基づいて、前記再生用のデジタルコンテンツの復号に用いる鍵データを取得する鍵データ取得工程と、前記データ取得工程によって取得された再生用のデジタルコンテンツを、前記鍵データ取得工程によって取得された鍵データに基づいて復号する復号工程と、前記復号工程によって復号された再生用のデジタルコンテンツを再生する再生工程と、を含んだことを特徴とする。
【００１６】
したがって、マニフェストが対応付けられており、当該マニフェストに基づいて取得された鍵データを用いて復号ができた再生用のデジタルコンテンツのみが再生される。すなわち、マニフェストおよび鍵データという条件が揃った場合に限って再生用のデジタルコンテンツを再生することができる。
【００１７】
本発明の再生プログラムは、上述した再生方法をコンピュータに実行させることを特徴とする。
【００１８】
したがって、本発明の再生プログラムを実行することにより、上述した再生方法によって得られる動作がコンピュータによって実現される。
【００１９】
本発明の記録媒体は、上述した再生プログラムをコンピュータによる読み取り可能に記録したことを特徴とする。
【００２０】
したがって、記録された再生プログラムをコンピュータによって読み取らせ、実行させることによって上述した再生プログラムの実行によって得られる各種動作が実現される。
【発明を実施するための最良の形態】
【００２１】
以下に添付図面を参照して、この発明にかかる再生装置、再生方法、再生プログラム、および記憶媒体の好適な実施の形態を詳細に説明する。
【００２２】
（メディアプレイヤーの概略構成）
図１は、本実施の形態におけるメディアプレイヤーの概略構成を示すブロック図である。メディアプレイヤー１００は、制御部１０１と、ユーザ操作入力部１０２と、読取部１０３と、ＭＰＶマニフェスト解析部１０４と、暗号化コンテンツ復号鍵取得部１０５と、暗号化コンテンツ復号化部１０６と、再生部１０７と、を備えている。本実施の形態においては、メディアプレイヤー１００によって再生装置が実現されている。
【００２３】
制御部１０１は、メディアプレイヤー１００が備える各部を駆動制御する。制御部１０１は、たとえば所定の演算処理を実行するＣＰＵ（Ｃｅｎｔｒａｌ  Ｐｒｏｃｅｓｓｉｎｇ  Ｕｎｉｔ）や、各種制御プログラムを格納するＲＯＭ（Ｒｅａｄ  Ｏｎｌｙ  Ｍｅｍｏｒｙ）、および、ＣＰＵのワークエリアとして機能するＲＡＭ（Ｒａｎｄｏｍ  Ａｃｃｅｓｓ  Ｍｅｍｏｒｙ）などによって構成されるマイクロコンピュータなどによって実現することができる。
【００２４】
ＲＯＭには、本発明を実現する再生プログラムが記録されている。これにより、本実施の形態においては、ＲＯＭによって本発明の記録媒体が実現されている。ＲＯＭあるいはＲＡＭには、たとえば、読取部１０３によって読み取ったメディアデータを一時的に記憶するメモリエリアが確保されていてもよい。なお、再生プログラムはＲＯＭに記録されているものに限らない。
【００２５】
ユーザ操作入力部１０２は、文字、数値、各種指示など、ユーザによって入力操作された情報を制御部１０１に対して出力する。ユーザ操作入力部１０２の構成としては、物理的な押下／非押下を検出する押ボタンスイッチ、タッチパネル、キーボード、ジョイスティックなど公知の各種形態を採用することが可能である。ユーザ操作入力部１０２は、外部からの音声を入力するマイクを用いて、音声によって入力操作を行う形態としてもよい。
【００２６】
ユーザ操作入力部１０２は、メディアプレイヤー１００に対して一体に設けられていてもよいし、リモコンのようにメディアプレイヤー１００から分離して操作可能な形態であってもよい。ユーザ操作入力部１０２は、上述した各種形態のうちいずれか単一の形態で構成されていてもよいし、複数の形態で構成されていてもよい。
【００２７】
ユーザは、ユーザ操作入力部１０２の形態に応じて適宜入力操作を行うことで情報を入力する。ユーザ操作入力部１０２の操作によって入力される情報として、たとえば、再生用のデジタルコンテンツの指定情報や、当該デジタルコンテンツの再生および再生停止などの動作指示に関する情報などが挙げられる。
【００２８】
読取部１０３は、メディア１１０に記録されたデータを読み取る。本実施の形態においては、読取部１０３によってデータ取得手段が実現されている。本実施の形態における読取部１０３は、メディア１１０として、たとえば、ＣＤ（ＣＤ−ＲＯＭ、ＣＤ−ＲＷなどを含む）やＤＶＤなどのように、データの再生に際して光を利用するメディア１１０を読み取り対象とする。
【００２９】
本実施の形態におけるメディア１１０には、暗号化された再生用のデジタルコンテンツと、当該再生用のデジタルコンテンツの再生条件を規定するマニフェストに関するデータと、が対応付けて記憶されている。本実施の形態の再生用のデジタルコンテンツは、動画像データや音声データなどによって構成される映像データである。なお、再生用のデジタルコンテンツは、映像データに限るものではない。再生用のデジタルコンテンツは、映像のみあるいは音声のみのデータであってもよい。また、動画像データに限るものではなく、静止画像データであってもよい。
【００３０】
再生用のデジタルコンテンツは、当該再生用のデジタルコンテンツの復号化に際して、暗号化時点で用いた鍵データと対になる鍵データを用いる公開鍵暗号や、暗号化および復号化に同じ鍵データを用いる秘密鍵暗号など、公知の暗号化技術を用いて暗号化されている。マニフェストに関するデータは、ＸＭＬ（ｅＸｔｅｎｓｉｂｌｅ  Ｍａｒｋｕｐ  Ｌａｎｇｕａｇｅ）形式にしたがって記述されている。
【００３１】
マニフェストは、再生条件および再生の実行を許可する条件を規定する。具体的に、マニフェストは、暗号化された再生用のデジタルコンテンツを復号する際に用いられる鍵データの記憶場所を特定する。鍵データは、再生用のデジタルコンテンツの暗号化方式に応じて、公開鍵暗号のように暗号化と復号化とで異なっていても、秘密鍵暗号のように暗号化と復号化とで同じであってもよい。
【００３２】
加えて、本実施の形態のメディアには、再生用のデジタルコンテンツとは異なる簡易再生用のデジタルコンテンツが記憶されている。簡易再生用のデジタルコンテンツは、たとえば、再生用のデジタルコンテンツよりも低品質（画質や音質）のデジタルコンテンツや、再生用のデジタルコンテンツの一部を構成するデジタルコンテンツや、再生用のデジタルコンテンツの内容を紹介するコマーシャル用のデジタルコンテンツである。
【００３３】
読取部１０３は、具体的に、たとえば、光ピックアップ、スピンドルモータ、粗動モータおよびこれらを制御する各種制御回路などによって構成することができる。光ピックアップは、情報の記録や再生に際して、対象となるメディア１１０にレーザー光を照射する光源およびメディア１１０からの反射光を受光するフォトディテクタ(ｐｈｏｔｏ  ｄｅｔｅｃｔｏｒ)などの受光部を備えている。光ピックアップにおいて、光源から照射されたレーザー光は、メディア１１０の記録面上でスポットが最小となるよう調整される。記録面上で反射したレーザー光は、受光部において集光された状態で受光される。受光された光信号は、電気信号に光電変換される。
【００３４】
この光ピックアップを制御する制御回路は、光ピックアップで光電変換されたメディア１１０からの情報信号に対して各種の信号処理を行う信号処理回路などを有しており、情報の再生に際しては、光源をリードパワーで発光させ、その反射光に基づいてメディアデータを再生する。また、光ピックアップを制御する制御回路は、情報の記録に際しては、光源をライトパワーで発光させる。
【００３５】
スピンドルモータは、対象となるメディア１１０を回転駆動する。スピンドルモータの回転を制御する制御回路は、対象となるメディア１１０が一定の回転速度で回転するように、スピンドルモータの回転を制御する。粗動モータは、光ピックアップをメディア１１０の径方向に移動させる。
【００３６】
なお、メディア１１０は光を利用して再生するものに限らない。読取部１０３は、データの再生に際して光以外の手段を利用するメディア１１０を用いる場合には、データの読み取り対象とする各メディア１１０に適した構成を備える。また、本実施の形態では、可搬性を有するメディア１１０について説明したがこれに限るものではない。
【００３７】
ＭＰＶマニフェスト解析部１０４は、読取部１０３によって読み取られたメディアデータに基づいて、マニフェストに関するデータを解析する。この解析によって、ＭＰＶマニフェスト解析部１０４は、マニフェストに関するデータの有無を判定し、マニフェストに関するデータがあると判定した場合に再生用のデジタルコンテンツの復号に用いる鍵データの記憶場所に関するデータを取得する。本実施の形態においては、ＭＰＶマニフェスト解析部１０４によって判定手段が実現されている。また、解析によって、ＭＰＶマニフェスト解析部１０４は、再生用のデジタルコンテンツの再生条件を取得する。
【００３８】
暗号化コンテンツ復号鍵取得部１０５は、ＭＰＶマニフェスト解析部１０４による解析によって取得された、鍵データの記憶場所に関するデータに基づいて、再生用のデジタルコンテンツの復号に用いる鍵データを取得する。本実施の形態では、暗号化コンテンツ復号鍵取得部１０５によって、鍵データ取得手段が実現されている。
【００３９】
暗号化コンテンツ復号鍵取得部１０５は、具体的に、メディアプレイヤー１００とは別体で設けられた外部装置１２０との間で通信を行う通信手段としてのＩ／Ｆなどを備え、このＩ／Ｆを介して外部装置１２０との間で通信を行うことにより鍵データを取得する。外部装置１２０は、たとえば、公衆回線網などを介して接続されたネットワーク上に設けられたサーバーなどによって実現することができる。
【００４０】
ネットワーク上に設けられたサーバーによって外部装置１２０を実現する場合、この外部装置１２０は、外部装置１２０が備える各部を駆動制御する図示しない制御部やメディアプレイヤー１００との間で通信を行う図示しない通信手段に加えて、鍵データを記憶する鍵データ記憶部１２１を有している。鍵データ記憶部１２１においては、再生用のデジタルコンテンツを特定する情報に対応付けて、鍵データを記憶している。
【００４１】
なお、外部装置１２０は、ネットワーク上に設けられたサーバーなどに限らない。ＬＡＮ接続などによって接続された特定のコンピュータによって外部装置１２０を実現してもよい。外部装置１２０は、格別な駆動装置を必要としない記憶媒体によって実現してもよい。具体的に、たとえば、メモリカードなど、フラッシュメモリによって外部装置１２０を実現してもよい。
【００４２】
鍵データは、再生用のデジタルコンテンツを特定する情報に対応付けられているものに限らない。鍵データは、たとえば、再生用のデジタルコンテンツを記憶するメディア１１０を特定する情報（メディアＩＤ）に対応付けられていてもよい。
【００４３】
なお、鍵データは、外部装置１２０に記憶されているものに限らない。鍵データは、たとえば、当該鍵データの記憶場所を特定するマニフェストに関するデータを記憶するメディア１１０に記憶されていてもよい。
【００４４】
暗号化コンテンツ復号化部１０６は、読取部１０３によって読み取られた再生用のデジタルコンテンツを、暗号化コンテンツ復号鍵取得部１０５によって取得された鍵データに基づいて復号する。本実施の形態では、暗号化コンテンツ復号化部１０６によって、復号手段が実現されている。
【００４５】
再生部１０７は、暗号化コンテンツ復号化部１０６によって復号された再生用のデジタルコンテンツを再生する。再生用のデジタルコンテンツが暗号化されていない場合、再生部１０７は、読取部１０３から取得した再生用のデジタルコンテンツを再生する。本実施の形態では、再生部１０７によって、再生手段が実現されている。再生部１０７は、具体的に、たとえば、音声出力用のスピーカと、このスピーカに接続される音声Ｉ／Ｆと、映像Ｉ／Ｆと、ディスプレイと、によって実現することができる。音声Ｉ／Ｆは、より具体的には、たとえば、音声デジタル情報のＤ／Ａ変換を行うＤ／Ａコンバータと、Ｄ／Ａコンバータから出力される音声アナログ信号を増幅する増幅器と、音声アナログ情報のＡ／Ｄ変換を行うＡ／Ｄコンバータと、から構成することができる。
【００４６】
映像Ｉ／Ｆは、具体的には、たとえば、ディスプレイ装置全体の制御を行うグラフィックコントローラと、即時表示可能な画像情報を一時的に記憶するＶＲＡＭ（Ｖｉｄｅｏ  ＲＡＭ）などのバッファメモリと、グラフィックコントローラから出力される画像情報に基づいて、ディスプレイ装置を表示制御する制御ＩＣなどによって構成される。ディスプレイは、たとえば、ＣＲＴ（Ｃａｔｈｏｄｅ  Ｒａｙ  Ｔｕｂｅ）、ＴＦＴ液晶ディスプレイ、有機ＥＬディスプレイ、プラズマディスプレイなどを含む。
【００４７】
ユーザ操作入力部１０２の形態として、たとえば、タッチパネルを採用する場合、このタッチパネルをディスプレイに積層して使用することができる。この場合、ディスプレイにおける表示タイミングとタッチパネル（ユーザ操作入力部１０２）に対する操作タイミングおよびその位置座標とを管理することによって、入力された情報を認識する。なお、タッチパネルとしては、抵抗膜式、感圧式など公知の各種タッチパネルを用いることが可能である。
【００４８】
（メディアプレイヤー１００の処理手順）
図２は、メディアプレイヤー１００の処理手順を示すフローチャートである。図２に示す処理は、まず、メディアデータの読み出し要求があったか否かを判定し（ステップＳ２０１）、メディアデータの読み出し要求が無いと判定した場合は（ステップＳ２０１：Ｎｏ）、そのまま待機する。
【００４９】
メディアデータの読み出し要求があったと判定した場合には（ステップＳ２０１：Ｙｅｓ）、メディアデータを読み出し（ステップＳ２０２）、読み出されたメディアデータに基づいて、コンテンツメニューを表示する（ステップＳ２０３）。コンテンツメニューを表示した状態で、再生するデジタルコンテンツが指定されたか否かを判定する（ステップＳ２０４）。図２においては、ステップＳ２０４の処理として「再生するコンテンツが指定されたか？」と記載されている。
【００５０】
再生するコンテンツが指定されていないと判定した場合には（ステップＳ２０４：Ｎｏ）、コンテンツメニューを表示した状態で、所定時間が経過したか否かを判定する（ステップＳ２０５）。所定時間が経過していないと判定した場合には（ステップＳ２０５：Ｎｏ）、ステップＳ２０４に進む。定時間が経過したと判定した場合には（ステップＳ２０５：Ｙｅｓ）、ステップＳ２１６に進む。
【００５１】
再生するコンテンツが指定されたと判定した場合には（ステップＳ２０４：Ｙｅｓ）、読み出されたメディアデータに基づいて、マニフェストに関するデータがあるか否かを判定する（ステップＳ２０６）。図２においては、ステップＳ２０６の処理として「マニフェストがあるか？」と記載されている。マニフェストに関するデータが無いと判定した場合には（ステップＳ２０６：Ｎｏ）、ステップＳ２１５に進む。
【００５２】
マニフェストに関するデータがあると判定した場合には（ステップＳ２０６：Ｙｅｓ）、読み出されたメディアデータに基づいて、再生用のデジタルコンテンツがあるか否かを判定する（ステップＳ２０７）。図２においては、ステップＳ２０７の処理として「再生用のコンテンツがあるか？」と記載されている。再生用のデジタルコンテンツが無いと判定した場合には（ステップＳ２０７：Ｎｏ）、ステップＳ２１５に進む。
【００５３】
再生用のデジタルコンテンツがあると判定した場合には（ステップＳ２０７：Ｙｅｓ）、再生用のデジタルコンテンツを取得する（ステップＳ２０８）。図２においては、ステップＳ２０８の処理として「再生用のコンテンツ取得」と記載されている。そして、取得した再生用のデジタルコンテンツが暗号化されているか否かを判定する（ステップＳ２０９）。再生用のデジタルコンテンツが暗号化されていないと判定した場合には（ステップＳ２０９：Ｎｏ）、ステップＳ２１４に進む。
【００５４】
再生用のデジタルコンテンツが暗号化されていると判定した場合には（ステップＳ２０９：Ｙｅｓ）、読み出されたメディアデータにおけるマニフェストに関するデータに基づいて、再生用のデジタルコンテンツの復号に用いる鍵データを取得する（ステップＳ２１０）。鍵データの取得に際しては、マニフェストに関するデータに基づいて、鍵データの記憶場所に関するデータを取得し、このデータに基づいて鍵データの記憶場所にアクセスする。本実施の形態では、外部装置１２０との間で通信を行い、鍵データ記憶部１２１に記憶されている鍵データを取得する。
【００５５】
外部装置１２０との間における通信に際しては、外部装置１２０からメディアプレイヤー１００に対して、メディア１１０を識別するメディアＩＤの入力を要求してもよい。この場合、外部装置１２０においてはあらかじめメディアＩＤを記憶しておき、メディアプレイヤー１００からの鍵データの取得要求があった場合には、記憶しておいたメディアＩＤを検索し、該当するメディアＩＤが存在した場合に限って鍵データの取得を許可する。
【００５６】
そして、鍵データの取得が正常に行われたか否かを判定する（ステップＳ２１１）。図２においては、ステップＳ２１１の処理として「鍵データを取得できたか？」と記載されている。鍵データの取得が正常に行われなかったと判定した場合には（ステップＳ２１１：Ｎｏ）、ステップＳ２１５に進む。
【００５７】
鍵データが外部装置１２０に記憶されている場合、鍵データの取得に際しては、外部装置１２０との間で通信を行う。この通信に際して、通信エラーが発生した場合などには鍵データが正常に取得できないことがある。
【００５８】
鍵データの取得が正常に行われたと判定した場合には（ステップＳ２１１：Ｙｅｓ）取得された鍵データに基づいて、読み出された再生用のデジタルコンテンツを復号する（ステップＳ２１２）。そして、読み出された再生用のデジタルコンテンツが正常に復号されたか否かを判定する（ステップＳ２１３）。図２においては、ステップＳ２１３の処理として「正常に復号できたか？」と記載されている。
【００５９】
読み出された再生用のデジタルコンテンツが正常に復号されたと判定した場合には（ステップＳ２１３：Ｙｅｓ）、読み出された再生用のデジタルコンテンツを再生する（ステップＳ２１４）。読み出された再生用のデジタルコンテンツが正常に復号されなかったと判定した場合には（ステップＳ２１３：Ｎｏ）、簡易再生用のデジタルコンテンツを取得する（ステップＳ２１５）。図２においては、ステップＳ２１５の処理として「簡易再生用のコンテンツ取得」と記載されている。
【００６０】
ステップＳ２１５において取得する簡易再生用のデジタルコンテンツは、再生用のデジタルコンテンツとは異なっている。簡易再生用のデジタルコンテンツは、たとえば、再生用のデジタルコンテンツよりも低品質（画質や音質）のデジタルコンテンツである。簡易再生用のデジタルコンテンツは、たとえば、再生用のデジタルコンテンツの一部を構成するデジタルコンテンツであってもよい。また、簡易再生用のデジタルコンテンツは、たとえば、再生用のデジタルコンテンツの内容を紹介するコマーシャル用のデジタルコンテンツであってもよい。
【００６１】
ステップＳ２１５を経由した場合、ステップＳ２１４においては、簡易再生用のデジタルコンテンツが再生される。ここで再生される簡易再生用のデジタルコンテンツは、再生用のデジタルコンテンツよりも低品質（画質や音質）であったり、再生用のデジタルコンテンツの一部であったり、コマーシャル用のデジタルコンテンツであって、本来の再生用のデジタルコンテンツではない。
【００６２】
指定された再生用のデジタルコンテンツの再生後、処理を終了するか否かを判定する（ステップＳ２１６）。ステップＳ２１６においては、たとえば、ユーザによってユーザ操作入力部１０２が操作されることによって、処理を終了する情報が入力された場合に処理を終了すると判断する（ステップＳ２１６：Ｙｅｓ）。
【００６３】
一方、ステップＳ２１６においては、たとえば、ユーザによってユーザ操作入力部１０２が操作されることによって、別の再生用のデジタルコンテンツが再生するデジタルコンテンツとして指定された場合に処理を終了しないと判定し（ステップＳ２１６：Ｎｏ）、ステップＳ２０３へ進む。
【００６４】
以上説明したように、本実施の形態によれば、マニフェストに関するデータが対応付けられており、当該マニフェストに関するデータに基づいて取得された鍵データを用いて復号ができた再生用のデジタルコンテンツのみが再生される。すなわち、マニフェストに関するデータおよび鍵データという条件が揃った場合に限って再生用のデジタルコンテンツを再生することができる。
【００６５】
一方で、マニフェストに関するデータおよび鍵データを用いた復号という条件が揃っている場合、ユーザに対しては、通常の再生操作と同様の操作を行わせるだけで、指定された再生用のデジタルコンテンツを再生することができる。これによって、再生用のデジタルコンテンツの利用を制限するとともに、正規のユーザに対しては格別な意識および操作をさせることなく指定した再生用のデジタルコンテンツを再生させることができる。
【００６６】
また、本実施の形態によれば、再生用のデジタルコンテンツの復号に際し、外部装置１２０との間で通信を行うことによって鍵データを取得することにより、再生用のデジタルコンテンツの再生を、外部装置１２０との間における通信が可能なメディアプレイヤー１００に制限することができる。これによっても、再生用のデジタルコンテンツの利用を制限することができる。このとき、たとえば、鍵データの取得に際してメディアＩＤを必要とすることで、再生用のデジタルコンテンツの利用をより制限することができる。
【００６７】
また、たとえば、メモリカードなど、フラッシュメモリによって外部装置１２０を実現した場合、再生用のデジタルコンテンツの再生に際しては、外部装置１２０を、メディアプレイヤー１００によって読み取ることが可能な状態に装着しなくてはならない。すなわち、メディア１１０と外部装置１２０とを併せて配布することにより、正規に取得したユーザ以外は外部装置１２０を所持していないこととなるため、再生用のデジタルコンテンツの利用を、実際の運用面から制限することができる。なお、配布には、無償配布であっても、有償配布であってもよい。
【００６８】
さらに、本実施の形態によれば、メディア１１０に記憶されたマニフェストに関するデータが無い場合に、簡易再生用のデジタルコンテンツを再生することにより、マニフェストに関するデータが対応付けられた再生用のデジタルコンテンツを所有するユーザと、それ以外のユーザとの差別化を図ることができる。
【００６９】
このとき、簡易再生用のデジタルコンテンツとして、再生用のデジタルコンテンツよりも低品質（画質や音質）のデジタルコンテンツや、再生用のデジタルコンテンツの一部を構成するデジタルコンテンツや、再生用のデジタルコンテンツの内容を紹介するコマーシャル用のデジタルコンテンツなどのように、再生用のデジタルコンテンツではないが、それに関連するデジタルコンテンツを再生することで、再生用のデジタルコンテンツの正規取得を喚起させる効果が期待される。これによって、メディア１１０の販売促進効果を期待することができる。
【００７０】
そして、本実施の形態の再生プログラムを、コンピュータによる読み取り可能に記録した記録媒体によれば、記憶された再生プログラムを制御部１０１におけるコンピュータに実行させることによって以上説明したような各種効果を得ることができる。
【００７１】
したがって、記録された再生プログラムをコンピュータによって読み取らせ、実行させることによって上述した再生プログラムの実行によって得られる各種動作が実現される。これによって、上述した再生プログラムの実行によって得られる各種効果を奏することができる。
【００７２】
ところで、本実施の形態においては、たとえば、ＣＤ（ＣＤ−ＲＯＭ、ＣＤ−ＲＷなどを含む）やＤＶＤなどのように、データの再生に際して光を利用するメディア１１０を読み取り対象とするメディアプレイヤー１００について説明したが、本発明を適用可能な実施の形態としてはこれに限るものではない。本発明の再生装置は、たとえば、メディアプレイヤー１００と同様の構成を有するビデオデッキなど、動画層データおよび音声データの再生が可能な各種の装置によって実現することが可能である。
【００７３】
なお、本実施の形態で説明した再生方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【図面の簡単な説明】
【００７４】
【図１】本実施の形態におけるメディアプレイヤーの概略構成を示すブロック図。
【図２】メディアプレイヤーの処理手順を示すフローチャート。
【符号の説明】
【００７５】
１００  メディアプレイヤー、１０３  読取部、１０４  ＭＰＶマニフェスト解析部、１０５  暗号化コンテンツ復号鍵取得部、１０６  暗号化コンテンツ復号化部、１０７  再生部、１１０  メディア
【図１】
2006277830.tif 000003
【図２】
2006277830.tif 000004